(57)【要約】  表示装置の使用者に対して、携帯電話の状態をより適切に通知できることが望ましい。そこで、通信機器から情報を受信する情報受信部と、通信機器からの情報に対応付けられた通知データを格納する通知データ格納部と、情報受信部が受信した情報に対応する通知データを出力する通知データ出力部と、情報受信部が情報を受信した場合に、受信された情報に対応する通知データの出力待機数が予め定められた数より少ないか否かによって、受信された情報に対応する通知データの出力制御を異ならせる出力制御部とを備える、出力制御装置を提供する。
2017085819.tif 000002
【特許請求の範囲】
【請求項１】
通信機器から情報を受信する情報受信部と、
前記通信機器からの前記情報に対応付けられた通知データを格納する通知データ格納部と、
前記情報受信部が受信した前記情報に対応する前記通知データを出力する通知データ出力部と、
前記情報受信部が前記情報を受信した場合に、受信された前記情報に対応する前記通知データの出力待機数が予め定められた数より少ないか否かによって、受信された前記情報に対応する前記通知データの出力制御を異ならせる出力制御部と
を備える、出力制御装置。
【請求項２】
前記情報は、前記通信機器にインストールされているアプリケーションのうちの通知イベントが発生したアプリケーションのアプリ識別情報である、請求項１に記載の出力制御装置。
【請求項３】
前記出力制御部は、前記情報受信部が前記アプリ識別情報を受信した場合に、受信された前記アプリ識別情報によって識別されるアプリケーションのカテゴリに対応する前記通知データの出力待機数が予め定められた数より少ないか否かによって、受信された前記アプリ識別情報に対応する前記通知データの出力制御を異ならせる、請求項２に記載の出力制御装置。
【請求項４】
前記出力制御部は、受信された前記情報に対応する前記通知データの前記出力待機数が前記予め定められた数より少ない場合、受信された前記情報に対応する前記通知データを前記通知データ出力部に出力させるべく待機させる、請求項１から３のいずれか一項に記載の出力制御装置。
【請求項５】
前記出力制御部は、受信された前記情報に対応する前記通知データの前記出力待機数が前記予め定められた数より少なくない場合、受信された前記情報に対応する前記通知データを前記通知データ出力部に出力させないように制御する、請求項１から４のいずれか一項に記載の出力制御装置。
【請求項６】
前記通知データ出力部は、複数の通知データを同一の出力時間で出力する、請求項１から５のいずれか一項に記載の出力制御装置。
【請求項７】
前記出力制御部は、受信された前記情報に対応する前記通知データの前記出力待機数が前記予め定められた数より少なくない場合、前記通知データ出力部に、出力待機中の前記通知データの出力後に、受信された前記情報に対応する通知データの出力待機数が前記予め定められた数より少ない場合に比べて短い出力時間で、受信された前記情報に対応する前記通知データを出力させる、請求項１から３のいずれか一項に記載の出力制御装置。
【請求項８】
前記情報の種類毎に、前記通知データを出力することを要求する出力要求を前記予め定められた数格納可能な前記情報の種類毎のキューを有する出力要求格納部
をさらに備え、
前記出力制御部は、前記出力要求が前記キューに格納された順番に従って前記通知データを前記通知データ出力部に出力させて、前記出力要求を前記キューから削除する、請求項１から７のいずれか一項に記載の出力制御装置。
【請求項９】
前記通知データは、アイコン、画像、テキスト及び音の少なくともいずれかである、請求項１から８のいずれか一項に記載の出力制御装置。
【請求項１０】
請求項１から９のいずれか一項に記載の出力制御装置と、
前記通信機器と
を備えるシステム。
【請求項１１】
コンピュータを、請求項１から９のいずれか一項に記載の出力制御装置として機能させるためのプログラム。
【発明の詳細な説明】
【技術分野】
【０００１】
本発明は、出力制御装置、システムおよびプログラムに関する。
【背景技術】
【０００２】
ＨＤＭＩ（登録商標）ポートに接続されている携帯電話が着信を受けた場合に、携帯電話が着信を受けたことを表示装置に表示させるための制御部を備える映像表示装置が知られていた。（例えば、特許文献１参照）。
［先行技術文献］
［特許文献］
［特許文献１］特開２０１３−０２１４４２公報
【発明の概要】
【発明が解決しようとする課題】
【０００３】
表示装置の使用者に対して、携帯電話の状態をより適切に通知できることが望ましい。
【課題を解決するための手段】
【０００４】
本発明の第１の態様によれば、出力制御装置が提供される。出力制御装置は、通信機器から情報を受信する情報受信部を備えてよい。出力制御装置は、通信機器からの情報に対応付けられた通知データを格納する通知データ格納部を備えてよい。出力制御装置は、情報受信部が受信した情報に対応する通知データを出力する通知データ出力部を備えてよい。出力制御装置は、情報受信部が情報を受信した場合に、受信された情報に対応する通知データの出力待機数が予め定められた数より少ないか否かによって、受信された情報に対応する通知データの出力制御を異ならせる出力制御部を備えてよい。【０００５】
上記情報は、上記通信機器にインストールされているアプリケーションのうちの通知イベントが発生したアプリケーションのアプリ識別情報であってよい。上記出力制御部は、上記情報受信部が上記アプリ識別情報を受信した場合に、受信された上記アプリ識別情報によって識別されるアプリケーションのカテゴリに対応する上記通知データの出力待機数が予め定められた数より少ないか否かによって、受信された上記アプリ識別情報に対応する上記通知データの出力制御を異ならせてよい。上記出力制御部は、受信された上記情報に対応する上記通知データの上記出力待機数が上記予め定められた数より少ない場合、受信された上記情報に対応する上記通知データを上記通知データ出力部に出力させるべく待機させてよい。上記出力制御部は、受信された上記情報に対応する上記通知データの上記出力待機数が上記予め定められた数より少なくない場合、受信された上記情報に対応する上記通知データを上記通知データ出力部に出力させないように制御してよい。上記通知データ出力部は、複数の通知データを同一の出力時間で出力してよい。【０００６】
上記出力制御部は、受信された上記情報に対応する上記通知データの上記出力待機数が上記予め定められた数より少なくない場合、上記通知データ出力部に、出力待機中の上記通知データの出力後に、受信された上記情報に対応する通知データの出力待機数が上記予め定められた数より少ない場合に比べて短い出力時間で、受信された上記情報に対応する上記通知データを出力させてよい。【０００７】
上記出力制御装置は、上記情報の種類毎に、上記通知データを出力することを要求する出力要求を上記予め定められた数格納可能な上記情報の種類毎のキューを有する出力要求格納部をさらに備えてよく、上記出力制御部は、上記出力要求が上記キューに格納された順番に従って上記通知データを上記通知データ出力部に出力させて、上記出力要求を上記キューから削除してよい。上記通知データは、アイコン、画像、テキスト及び音の少なくともいずれかであってよい。【０００８】
本発明の第２の態様によれば、上記出力制御装置と、上記通信機器とを備えるシステムが提供される。【０００９】
本発明の第３の態様によれば、コンピュータを、上記出力制御装置として機能させるためのプログラムが提供される。【００１０】
なお、上記の発明の概要は、本発明の必要な特徴の全てを列挙したものではない。また、これらの特徴群のサブコンビネーションもまた、発明となりうる。
【図面の簡単な説明】
【００１１】
【図１】システム１０の一例を概略的に示す。
【図２】システム１０による処理の流れの一例を概略的に示す。
【図３】システム１０による処理の流れの一例を概略的に示す。
【図４】システム１０による処理の流れの一例を概略的に示す。
【図５】システム１０による処理の流れの一例を概略的に示す。
【図６】システム１０による処理の流れの一例を概略的に示す。
【図７】システム１０による処理の流れの一例を概略的に示す。
【図８】表示装置１００の機能構成の一例を概略的に示す。
【図９】表示装置１００の実装例であるモニタ３００の構成を概略的に示す。
【図１０】表示装置１００による処理の流れの一例を概略的に示す。
【発明を実施するための形態】
【００１２】
以下、発明の実施の形態を通じて本発明を説明するが、以下の実施形態は請求の範囲にかかる発明を限定するものではない。また、実施形態の中で説明されている特徴の組み合わせの全てが発明の解決手段に必須であるとは限らない。
【００１３】
図１は、システム１０の一例を概略的に示す。システム１０は、表示装置１００および携帯端末２００を備える。表示装置１００は、出力制御装置の一例であってよい。携帯端末２００は、通信機器の一例であってよい。
【００１４】
本実施形態に係る表示装置１００は、無線通信接続を確立した携帯端末２００において、電話の着信、メールの着信、ＳＮＳ（Ｓｏｃｉａｌ  Ｎｅｔｗｏｒｋ  Ｓｅｒｖｉｃｅ）からの着信、およびゲームのメッセージ着信など、各種アプリケーションでイベントが発生したときに、イベントに対応する、アイコン１８０等のイベントの発生を通知するための通知データを出力して、イベントの発生を表示装置１００の使用者に通知する。
【００１５】
表示装置１００は、予め格納されたデフォルトのアイコン（標準アイコンと呼ぶ場合がある。）を有してよい。表示装置１００は、複数の標準アイコンを格納してよい。例えば、表示装置１００は、５つの標準アイコンを格納する。
【００１６】
表示装置１００は、携帯端末２００の携帯端末識別情報およびアプリ識別情報の組み合わせを標準アイコンに対応付けて格納してよい。携帯端末識別情報は、携帯端末２００を識別することができればどのような情報であってもよい。例えば、携帯端末識別情報はＢＬＥ通信接続のペアリング情報である。また、携帯端末識別情報は、Ｂｌｕｅｔｏｏｔｈ（登録商標）通信接続のペアリング情報、電話番号、個体識別情報、端末識別番号、およびＭＡＣ（Ｍｅｄｉａ  Ａｃｃｅｓｓ  Ｃｏｎｔｒｏｌ  ａｄｄｒｅｓｓ）番号などであってもよい。アプリ識別情報は、アプリケーションを識別することができればどのような情報であってもよい。例えば、アプリ識別情報はアプリケーションのパッケージ名である。
【００１７】
また、表示装置１００は、携帯端末２００を用いてストアサーバ３０から購入されたアイコン（特別アイコンと呼ぶ場合がある。）を有してよい。表示装置１００は、例えば、ＢＬＥ通信接続を介して携帯端末２００から特別アイコンを受信して格納する。表示装置１００は、複数の特別アイコンを格納してよい。例えば、表示装置１００は、５つの特別アイコンを格納する。表示装置１００は、携帯端末２００の携帯端末識別情報およびアプリ識別情報の組み合わせを特別アイコンに対応付けて格納してよい。
【００１８】
携帯端末２００は、イベントが発生したアプリケーションのアプリ識別情報を表示装置１００に対して送信する。アプリ識別情報は、表示装置１００が携帯端末２００から受信する情報の一例である。表示装置１００は、携帯端末２００から受信したアプリ識別情報および携帯端末２００の携帯端末識別情報の組み合わせが特別アイコンに対応付けて格納されている場合、当該特別アイコンを表示する。また、表示装置１００は、携帯端末２００から受信したアプリ識別情報および携帯端末２００の携帯端末識別情報の組み合わせが特別アイコンに対応付けて格納されておらず、標準アイコンに対応付けて格納されている場合、当該標準アイコンを表示する。表示装置１００は、携帯端末２００から受信したアプリ識別情報および携帯端末２００の携帯端末識別情報の組み合わせが特別アイコンにも標準アイコンにも対応付けて格納されていない場合、複数の標準アイコンのうち予め設定された標準アイコンを表示してよい。
【００１９】
携帯端末２００は、無線基地局５０およびネットワーク２０を介して、アイコンを販売するストアサーバ３０にアクセスしてよい。携帯端末２００と無線基地局５０とは、任意の通信方式を用いて無線通信してよい。例えば、携帯端末２００と無線基地局５０とは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）及びＰＤＣ（Ｐｅｒｓｏｎａｌ  Ｄｉｇｉｔａｌ  Ｃｅｌｌｕｌａｒ）等の２Ｇ（２ｎｄ  Ｇｅｎｅｒａｔｉｏｎ）通信方式、ＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ）及びＣＤＭＡ２０００（Ｃｏｄｅ  Ｄｉｖｉｓｉｏｎ  Ｍｕｌｔｉｐｌｅ  Ａｃｃｅｓｓ  ２０００）等の３Ｇ（３ｒｄ  Ｇｅｎｅｒａｔｉｏｎ）通信方式、ＬＴＥ（Ｌｏｎｇ  Ｔｅｒｍ  Ｅｖｏｌｕｔｉｏｎ）等の３．９Ｇ通信方式、Ａｄｖａｎｃｅｄ  ＬＴＥ等の４Ｇ通信方式、及び４Ｇ通信方式以降の通信方式を用いて無線通信する。ネットワーク２０は、インターネットおよび電話網を含んでよい。なお、携帯端末２００は、Ｗｉ−Ｆｉ（登録商標）（Ｗｉｒｅｌｅｓｓ  Ｆｉｄｅｌｉｔｙ）のアクセスポイントおよびネットワーク２０を介してストアサーバ３０にアクセスしてもよい。
【００２０】
携帯端末２００は、ストアサーバ３０との間でアイコンの購入手続が完了した後、クラウドサーバ４０からアイコンを受信してよい。表示装置１００は、携帯端末２００がクラウドサーバ４０から受信したアイコンを携帯端末２００から受信してよい。また、表示装置１００は、携帯端末２００によってストアサーバ３０との間でアイコンの購入手続きが完了した後、クラウドサーバ４０からアイコンを受信してもよい。
【００２１】
表示装置１００に格納されている複数のアイコンは、システム１０の使用者によって、携帯端末２００にインストールされているアプリケーションのカテゴリに対応付けられる。例えば、５つのアイコンが、電話、メール、ＳＮＳ、ゲームおよびその他の５つのカテゴリに対応付けられる。カテゴリは、アプリ識別情報の種類の一例であってよい。例えば、複数のメールアプリのそれぞれのアプリ識別情報のカテゴリの種類はカテゴリ：メールであり、複数のＳＮＳアプリのそれぞれのアプリ識別情報のカテゴリの種類は、カテゴリ：ＳＮＳである。
【００２２】
表示装置１００は、例えば、システム１０の使用者の指示に基づいて、ＳＮＳアプリケーションのアプリ識別情報と、ＳＮＳに対応する標準アイコンとを対応付ける。そして、表示装置１００は、ＳＮＳアプリケーションのアプリ識別情報を携帯端末２００から受信したときに、ＳＮＳに対応する標準アイコンを表示する。これにより、システム１０の使用者は、携帯端末２００にインストールされているＳＮＳアプリケーションにおいて通知イベントが発生したことに気付く。
【００２３】
携帯端末２００は、通知イベントが発生している状態で表示装置１００と無線通信接続を確立したとき、当該通知イベントが発生しているアプリケーションのアプリ識別情報を表示装置１００に送信する。ここで、携帯端末２００において１または複数のアプリケーションの複数の通知イベントが発生している状態で、携帯端末２００と表示装置１００とが無線通信接続を確立した場合、複数のアプリ識別情報が連続して携帯端末２００から表示装置１００に送信されることになる。例えば、外出先では携帯端末２００において発生している通知イベントをすぐに確認せずに放置する傾向にある使用者が、帰宅して携帯端末２００を表示装置１００に無線接続させると、大量のアプリ識別情報が表示装置１００に送信されることになる。
【００２４】
このような場合に、すべてのアプリ識別情報について、対応するアイコンを順次表示させていくと、全てのアイコンを表示させるまでに時間がかかってしまう。例えば、一のアイコンを表示している間にアイコン識別情報を受信した場合には、当該アイコン識別情報に対応するアイコンの表示は実行しないように制御することもできるが、その場合、使用者にとって重要な通知イベントの発生を、使用者に通知できない可能性がある。本実施形態に係る表示装置１００は、このような課題を解決すべく、同じカテゴリに対応するアイコンを必要な回数以上表示することのないような処理を実行する。
【００２５】
図２から図７は、システム１０による処理の流れの一例を概略的に示す。ここでは、図２に示すように、携帯端末２００から表示装置１００に対して、カテゴリＡに対応するアプリ識別情報、カテゴリＣに対応するアプリ識別情報、カテゴリＡに対応するアプリ識別情報およびカテゴリＡに対応するアプリ識別情報が連続して送信される場合について説明する。
【００２６】
本実施形態に係る表示装置１００は、図３から図７に模式的に示すように、カテゴリ毎に、アイコンを出力することを要求する出力要求を格納可能なキューを有してよい。図３から図７では、表示装置１００が５つのキュー１５１、１５２、１５３、１５４、１５５を有する場合を例示している。キュー１５１はカテゴリＡに対応し、キュー１５２はカテゴリＢに対応し、キュー１５３はカテゴリＣに対応し、キュー１５４はカテゴリＤに対応し、キュー１５５はカテゴリＥに対応する。ここでは、キュー１５１、１５２、１５３、１５４、１５５のそれぞれが、出力要求を１つのみ格納できる場合を例に挙げて説明する。
【００２７】
図３は、表示装置１００がカテゴリＡに対応する１つ目のアプリ識別情報を受信したときの処理を例示する。表示装置１００は、既表示のアイコンがないことから、カテゴリＡに対応するアイコン１８２を表示する。
【００２８】
図４は、表示装置１００がカテゴリＣに対応する２つ目のアプリ識別情報を受信したときの処理を例示する。表示装置１００は、アイコン１８２を表示中であるので、出力要求をカテゴリＣに対応するキュー１５３に格納する。
【００２９】
図５は、表示装置１００がカテゴリＡに対応する３つ目のアプリ識別情報を受信したときの処理を例示する。表示装置１００は、アイコン１８２を表示中であるので、出力要求をカテゴリＡに対応するキュー１５１に格納する。
【００３０】
図６は、表示装置１００がカテゴリＡに対応する４つ目のアプリ識別情報を受信したときの処理を例示する。表示装置１００は、アイコン１８２を表示中であり、かつ、キュー１５１に出力要求が格納されているので、４つ目のアプリ識別情報については無視する。すなわち、４つ目のアプリ識別情報については、出力要求を格納しない。
【００３１】
図７は、アイコン１８２の表示が終了したときの処理を例示する。表示装置１００は、キュー１５１、１５２、１５３、１５４、１５５に格納されている出力要求を、格納された順番に従って読み出して、読み出した出力要求に従ってアイコンを表示する。ここでは、キュー１５１とキュー１５３に出力要求が格納されており、キュー１５３の方が先に出力要求を格納したことから、表示装置１００は、キュー１５３に格納された出力要求を読み出して、カテゴリＣに対応するアイコン１８４を表示する。そして、アイコン１８４の表示が終了した後、表示装置１００は、キュー１５１に格納された出力要求を読み出して、カテゴリＡに対応するアイコン１８２を表示する。
【００３２】
上述したように、本実施形態に係る表示装置１００は、受信したアプリ識別情報によって識別されるアプリケーションのカテゴリに対応するキューに出力要求が格納されている場合に、受信したアプリ識別情報を無視することによって、同じカテゴリに対応するアイコンを必要な回数以上に表示してしまうことを防止する。
【００３３】
図８は、表示装置１００の機能構成の一例を概略的に示す。表示装置１００は、表示制御装置１０２、表示部１６０および音声出力部１６２を備える。表示制御装置１０２は、アイコン格納部１１０、特別対応情報格納部１２２、標準対応情報格納部１２４、通信接続確立部１２６、通信部１３０、出力制御部１４０、動作データ格納部１４２、およびアイコン書換部１４４を有する。なお、表示制御装置１０２がこれらのすべての構成を有することは必須とは限らない。
【００３４】
アイコン格納部１１０は、標準アイコンおよび特別アイコンを格納する。アイコン格納部１１０は、通知データ格納部の一例であってよい。本実施形態において、アイコン格納部１１０は、第１アイコン格納部１１２、第２アイコン格納部１１４、および第３アイコン格納部１１６を含む。
【００３５】
第１アイコン格納部１１２は標準アイコンを格納する。第１アイコン格納部１１２が格納する標準アイコンを第１アイコンと呼ぶ場合がある。第１アイコン格納部１１２は、複数の標準アイコンを格納してよい。第１アイコン格納部１１２は、例えば５つの標準アイコンを格納する。第１アイコン格納部１１２に格納されているデータは書き換え不可であってよい。
【００３６】
第２アイコン格納部１１４および第３アイコン格納部１１６は特別アイコンを格納する。第２アイコン格納部１１４が格納する特別アイコンを第２アイコンと呼ぶ場合がある。第３アイコン格納部１１６が格納する特別アイコンを第３アイコンと呼ぶ場合がある。第２アイコン格納部１１４は、複数の特別アイコンを格納してよい。第２アイコン格納部１１４は、例えば５つの特別アイコンを格納する。第３アイコン格納部１１６は、複数の特別アイコンを格納してよい。第３アイコン格納部１１６は、例えば５つの特別アイコンを格納する。
【００３７】
第２アイコン格納部１１４および第３アイコン格納部１１６の両方が特別アイコンを格納している場合、アイコン格納部１１０は、いずれか一方が格納している特別アイコンを有効な特別アイコンとして管理してよい。アイコン格納部１１０は、第２アイコンおよび第３アイコンのうちの後に格納された方を有効な特別アイコンとして管理してよい。アイコン格納部１１０は、第２アイコンおよび第３アイコンのうちの先に格納された方を有効な特別アイコンとすることを禁止してよい。
【００３８】
特別対応情報格納部１２２は、携帯端末識別情報およびアプリ識別情報の組み合わせを特別アイコンに対応付けて格納する。特別対応情報格納部１２２は、携帯端末識別情報およびアプリ識別情報の組み合わせを、第２アイコンおよび第３アイコンのうちの後に格納された特別アイコンに対応付けて格納してよい。特別対応情報格納部１２２は、携帯端末識別情報およびアプリ識別情報の複数の組み合わせのそれぞれを、複数の特別アイコンのそれぞれに対応付けて格納してよい。特別対応情報格納部１２２は、携帯端末識別情報およびアプリケーションのカテゴリを識別するカテゴリ識別情報の組み合わせを特別アイコンに対応付けて格納してもよい。
【００３９】
標準対応情報格納部１２４は、携帯端末識別情報およびアプリ識別情報の組み合わせを標準アイコンに対応付けて格納する。標準対応情報格納部１２４は、携帯端末識別情報およびアプリ識別情報の複数の組み合わせのそれぞれを複数の標準アイコンのそれぞれに対応付けて格納してよい。標準対応情報格納部１２４は、携帯端末識別情報およびカテゴリ識別情報の組み合わせを標準アイコンに対応付けて格納してもよい。
【００４０】
通信接続確立部１２６は、携帯端末２００と通信接続を確立する。通信接続確立部１２６は、任意の通信方式に従って携帯端末２００と通信接続を確立してよい。例えば、通信接続確立部１２６は、携帯端末２００とＢＬＥ通信接続を確立する。また、通信接続確立部１２６は、携帯端末２００とＢｌｕｅｔｏｏｔｈ（登録商標）通信接続を確立してもよい。また、通信接続確立部１２６は、Ｗｉ−Ｆｉ（登録商標）アクセスポイントを介して、携帯端末２００と通信接続を確立してもよい。
【００４１】
通信部１３０は、通信接続確立部１２６によって確立された通信接続を介して携帯端末２００と通信する。通信部１３０は、携帯端末識別情報受信部１３２、アプリ識別情報受信部１３４、およびアイコン受信部１３６を含む。
【００４２】
携帯端末識別情報受信部１３２は、携帯端末２００から携帯端末識別情報を受信する。携帯端末識別情報受信部１３２は、例えば、通信接続確立部１２６が携帯端末２００との間でＢＬＥ通信接続またはＢｌｕｅｔｏｏｔｈ（登録商標）通信接続を確立するときに携帯端末２００から受信したペアリング情報を通信接続確立部１２６から受信する。また、携帯端末識別情報受信部１３２は、例えば、通信接続確立部１２６が携帯端末２００との間で他の通信方式に従って通信接続を確立するときに携帯端末２００から受信した携帯端末識別情報を通信接続確立部１２６から受信する。また、携帯端末識別情報受信部１３２は、例えば、携帯端末２００においてイベントが発生したときに、携帯端末２００がイベントに対応するアプリ識別情報に加えて携帯端末識別情報を送信する場合には、当該携帯端末識別情報を受信してもよい。
【００４３】
アプリ識別情報受信部１３４は、携帯端末２００からアプリ識別情報を受信する。アプリ識別情報受信部１３４は、携帯端末２００において通知イベントが発生したときに携帯端末２００が送信した、発生した通知イベントに対応するアプリ識別情報を受信してよい。アプリ識別情報受信部１３４は、情報受信部の一例である。
【００４４】
アイコン受信部１３６は、アイコンを受信する。アイコン受信部１３６は、例えば、携帯端末２００から特別アイコンを受信する。例えば、新たな特別アイコンの購入手続きが完了した後、携帯端末２００は、新たな特別アイコンを表示装置１００に対して送信する。
【００４５】
出力制御部１４０は、表示部１６０にアイコンを表示させる。出力制御部１４０は、表示部１６０に標準アイコンまたは特別アイコンを表示させてよい。出力制御部１４０は、複数のアイコンを同一の出力時間で表示部１６０に表示させてよい。例えば、出力制御部１４０は、複数のアイコンのそれぞれの表示時間を５秒間とする。
【００４６】
出力制御部１４０は、標準アイコンまたは特別アイコンに音データが含まれる場合、当該音データを音声出力部１６２に音声出力させる。出力制御部１４０は、通知データ出力部の一例であってよい。
【００４７】
出力制御部１４０は、携帯端末識別情報受信部１３２が受信した携帯端末識別情報およびアプリ識別情報受信部１３４が受信したアプリ識別情報の組み合わせが特別対応情報格納部１２２に格納されている場合、当該組み合わせに対応する特別アイコンを表示部１６０に表示させる。また、出力制御部１４０は、携帯端末識別情報受信部１３２が受信した携帯端末識別情報およびアプリ識別情報受信部１３４が受信したアプリ識別情報の組み合わせが特別対応情報格納部１２２に格納されておらず、標準対応情報格納部１２４に格納されている場合、当該組み合わせに対応する標準アイコンを表示部１６０に表示させる。出力制御部１４０は、携帯端末識別情報受信部１３２が受信した携帯端末識別情報およびアプリ識別情報受信部１３４が受信したアプリ識別情報の組み合わせが特別対応情報格納部１２２にも標準対応情報格納部１２４にも格納されていない場合、予め設定された一の標準アイコンを表示部１６０に表示させてよい。
【００４８】
特別対応情報格納部１２２が携帯端末識別情報およびカテゴリ識別情報の組み合わせを特別アイコンに対応付けて格納しており、標準対応情報格納部１２４が携帯端末識別情報およびカテゴリ識別情報の組み合わせを標準アイコンに対応付けて格納している場合、出力制御部１４０は、受信された携帯端末識別情報および受信されたアプリ識別情報によって識別されるアプリケーションのカテゴリのカテゴリ識別情報の組み合わせが特別対応情報格納部１２２に格納されている場合に、当該組み合わせに対応する特別アイコンを、受信されたアプリ識別情報に対応する特別アイコンとして表示部１６０に表示させてよい。また、出力制御部１４０は、受信された携帯端末識別情報および受信されたアプリ識別情報によって識別されるアプリケーションのカテゴリのカテゴリ識別情報と組み合わせが特別対応情報格納部１２２に格納されておらず、標準対応情報格納部１２４に格納されている場合、当該組み合わせに対応する標準アイコンを、受信されたアプリ識別情報に対応する標準アイコンとして表示部１６０に表示させてよい。
【００４９】
出力制御部１４０は、アプリ識別情報受信部１３４がアプリ識別情報を受信した場合に、受信されたアプリ識別情報に対応するアイコンの出力待機数が予め定められた数より少ないか否かによって、受信されたアプリ識別情報に対応するアイコンの出力制御を異ならせる。予め定められた数は、例えば、図３〜図７において説明した、キューが格納できる出力要求の数であってよい。出力制御部１４０は、受信されたアプリ識別情報に対応するアイコンの出力待機数が予め定められた数より少ない場合、受信されたアプリ識別情報に対応するアイコンを表示部１６０に表示させるべく待機させてよい。出力制御部１４０は、受信されたアプリ識別情報に対応するアイコンの出力待機数が予め定められた数より少なくない場合、受信されたアプリ識別情報に対応するアイコンを表示部１６０に出力させないように制御してよい。
【００５０】
予め定められた数は、例えば１である。これにより、例えば、表示装置１００が携帯端末２００から連続してアプリ識別情報を受信した場合に、各アイコンの出力を１回に抑えることができる。また、予め定められた数は、２以上であってもよく、使用者によって設定可能であってよい。これにより、例えば、表示装置１００が携帯端末２００から連続してアプリ識別情報を受信した場合に、各アイコンの出力を、ユーザが希望する回数以内に抑えることができる。
【００５１】
出力制御部１４０は、出力要求格納部１５０を有する。出力要求格納部１５０は、アイコンを出力することを要求する出力要求を予め定められた数格納可能な複数のキューを有する。キューに格納される出力要求の数は、キューに対応するアイコンの出力待機数の一例である。出力制御部１４０は、出力要求がキューに格納された順番に従って、アイコンを表示部１６０に表示させて、アイコンを表示させた出力要求をキューから削除する。なお、出力制御部１４０は、アイコンの出力順は、出力要求がキューに格納された順番に従わなくてもよい。例えば、ランダムであってよい。また、複数のキューに予め順番を設定しておき、出力制御部１４０は当該順番に従ってアイコンを出力してもよい。
【００５２】
出力制御部１４０は、アプリ識別情報受信部１３４によって受信されたアプリ識別情報に対応するアイコンの出力待機数が予め定められた数より少なくない場合、表示部１６０に、出力待機中のアイコンの出力後に、受信されたアプリ識別情報に対応するアイコンの出力待機数が予め定められた数より少ない場合に比べて短い出力時間で、受信されたアプリ識別情報に対応するアイコンを出力させてよい。これにより、同一カテゴリについてのアイコンの出力回数が予め定められた数より少なくない場合に、アイコンの出力時間を短縮することができる。
【００５３】
動作データ格納部１４２は、アイコンを表示部１６０にどのように表示させるかを示す動作データを格納する。動作データは、任意の動きを示してよい。例えば、動作データは、フェードイン、スライドイン、フロートイン、スプリット、およびワイプなどの動きを示す。動作データ格納部１４２は、複数の特別アイコンのそれぞれに対する動作データを格納してよい。また、動作データ格納部１４２は、複数の標準アイコンのそれぞれに対する動作データを格納してよい。出力制御部１４０は、表示部１６０に表示させるアイコンに対応する動作データが動作データ格納部１４２に格納されている場合、当該動作データに従って当該アイコンを表示させてよい。
【００５４】
アイコン書換部１４４は、アイコン格納部１１０に格納されている特別アイコンを書き換える。アイコン書換部１４４は、例えば、第２アイコン格納部１１４に複数の第２アイコンが格納されており、かつ、第３アイコン格納部１１６に複数の第３アイコンが格納されている状態で、アイコン受信部１３６が新たな複数の特別アイコンを受信する場合、複数の第２アイコンおよび複数の第３アイコンのうちの先に格納されたアイコンを、新たに受信した複数の特別アイコンに書き換える。特別対応情報格納部１２２は、アイコン書換部１４４による書き換えが実行された場合に、携帯端末識別情報およびアプリ識別情報の組み合わせの対応付けを、書き換え後の特別アイコンに変更してよい。
【００５５】
図９は、表示装置１００の実装例であるモニタ３００の構成を概略的に示す。モニタ３００は、ＭＰＵ（Ｍｉｃｒｏ  Ｐｒｏｃｅｓｓｉｎｇ  Ｕｎｉｔ）３０２、ＢＬＥユニット３０４、ＭＰＵ−ＲＡＭ（Ｒａｎｄｏｍ  Ａｃｃｅｓｓ  Ｍｅｍｏｒｙ）３０６、ＭＰＵ−ＳＰＩ（Ｓｅｒｉａｌ  Ｐｅｒｉｐｈｅｒａｌ  Ｉｎｔｅｒｆａｃｅ）３０８、ＦＰＧＡ（Ｆｉｅｌｄ  Ｐｒｏｇｒａｍｍａｂｌｅ  Ｇａｔｅ  Ａｒｒａｙ）３１０、ＦＰＧＡ−ＳＰＩ３１２、表示ユニット３２０、および音声出力ユニット３２２を備える。
【００５６】
ＭＰＵ３０２は、モニタ３００全体の動きを制御する。ＢＬＥユニット３０４は、ＢＬＥ通信を制御する。ＢＬＥユニット３０４は、通信接続確立部１２６および通信部１３０の一例であってよい。
【００５７】
ＭＰＵ−ＲＡＭ３０６は、ＢＬＥユニット３０４が携帯端末２００から受信したアプリ識別情報を格納する。ＭＰＵ−ＳＰＩ３０８は、特別対応情報格納部１２２および標準対応情報格納部１２４の一例であってよい。
【００５８】
ＦＰＧＡ３１０は、出力制御部１４０の一例であってよい。ＦＰＧＡ−ＳＰＩ３１２は、アイコン格納部１１０の一例であってよい。ＦＰＧＡ−ＳＰＩ３１２は、複数のアイコンのそれぞれに、アイコンを識別するアイコン識別情報を対応付けて格納してよい。また、ＦＰＧＡ−ＳＰＩ３１２は、出力要求格納部１５０の一例であってよい。ＦＰＧＡ−ＳＰＩ３１２は、アイコンを出力することを要求する出力要求を予め定められた数格納可能な複数のキューを有してよい。
【００５９】
表示ユニット３２０は、表示部１６０の一例であってよい。音声出力ユニット３２２は、音声出力部１６２の一例であってよい。
【００６０】
ＭＰＵ３０２は、ＢＬＥユニット３０４が携帯端末２００からアプリ識別情報を受信したことに応じて、携帯端末２００の携帯端末識別情報および受信したアプリ識別情報の組み合わせがＭＰＵ−ＳＰＩ３０８に格納されているか否かを判定する。ＭＰＵ３０２は、携帯端末識別情報およびアプリ識別情報の組み合わせが特別アイコンに対応付けられている場合、当該特別アイコンのアイコン識別情報をＭＰＵ−ＳＰＩ３０８から読み出す。
【００６１】
また、ＭＰＵ３０２は、携帯端末識別情報およびアプリ識別情報の当該組み合わせが特別アイコンに対応付けられていない場合であり、かつ、当該組み合わせが標準アイコンに対応付けられている場合、当該標準アイコンのアイコン識別情報をＭＰＵ−ＳＰＩ３０８から読み出す。そして、ＭＰＵ３０２は、読み出したアイコン識別情報をＦＰＧＡ３１０に送信する。
【００６２】
ＦＰＧＡ３１０は、ＭＰＵ３０２から受信したアイコン識別情報に対応するアイコンをＦＰＧＡ−ＳＰＩ３１２から読み出す。そして、ＦＰＧＡ３１０は、読み出したアイコンを表示ユニット３２０に表示させる。また、ＦＰＧＡ３１０は、読み出したアイコンに音データが含まれる場合、当該音データを音声出力ユニット３２２に出力させる。
【００６３】
図１０は、表示装置１００による処理の流れの一例を概略的に示す。図１０に示す処理は、表示装置１００と携帯端末２００とのＢＬＥ通信接続が確立している状態を開始状態として説明する。図１０に示す各処理は、表示装置１００が備える制御部が主体となって実行される。
【００６４】
ステップ（ステップをＳと省略して記載する場合がある。）５０２では、アプリ識別情報受信部１３４が、携帯端末２００からアプリ識別情報を受信したか否かを判定する。受信した場合、Ｓ５０４に進み、受信していない場合、Ｓ５１２に進む。
【００６５】
Ｓ５０４では、アイコン格納部１１０に格納されているアイコンが表示部１６０に表示されているか否かを判定する。表示されていない場合、Ｓ５０６に進み、表示されている場合、Ｓ５０８に進む。Ｓ５０６では、出力制御部１４０が、Ｓ５０２で受信したアプリ識別情報に対応するアイコンを表示部１６０に表示させる。
【００６６】
Ｓ５０８では、Ｓ５０２で受信したアプリ識別情報に対応するアイコンに対応するキューに格納されている出力要求の数が、予め定められた数よりも少ないか否かを判定する。少ない場合、Ｓ５１０に進み、少なくない場合、Ｓ５１２に進む。Ｓ５１０では、Ｓ５０２で受信したアプリ識別情報に対応するアイコンに対応するキューに出力要求を格納する。
【００６７】
Ｓ５１２では、アイコン格納部１１０に格納されているアイコンが表示部１６０に表示されているか否かを判定する。表示されていない場合、Ｓ５１４に進み、表示されている場合、Ｓ５１８に進む。
【００６８】
Ｓ５１４では、キューに出力要求が格納されているか否かを判定する。格納されている場合、Ｓ５１６に進み、格納されていない場合、Ｓ５１８に進む。Ｓ５１６では、出力制御部１４０が、キューに格納されている出力要求のうち、最も早く格納された出力要求に従って、アイコンを表示部１６０に表示させる。
【００６９】
Ｓ５１８では、処理の終了指示を受領したか否かを判定する。受領していないと判定した場合、Ｓ５０２に戻り、受領したと判定した場合、処理を終了する。
【００７０】
上記実施形態では、表示装置１００が携帯端末２００から受信する情報の一例としてアプリ識別情報を挙げて説明したが、これに限らない。
【００７１】
表示装置１００が携帯端末２００から受信する情報は、アプリケーションのカテゴリを識別するカテゴリ識別情報であってもよい。この場合、出力制御部１４０は、情報受信部が受信したカテゴリ識別情報が示すカテゴリのアプリケーションのアプリ識別情報に対応するアイコンを、情報受信部が受信したカテゴリ識別情報に対応するアイコンとして出力させてよい。また、特別対応情報格納部１２２が携帯端末識別情報およびカテゴリ識別情報の組み合わせを特別アイコンに対応付けて格納しており、標準対応情報格納部１２４が携帯端末識別情報およびカテゴリ識別情報の組み合わせを標準アイコンに対応付けて格納している場合、出力制御部１４０は、情報受信部が受信したカテゴリ識別情報に対応するアイコンを出力させてよい。出力制御部１４０は、情報受信部がカテゴリ識別情報を受信した場合に、受信されたカテゴリ識別情報に対応するアイコンの出力待機数が予め定められた数より少ないか否かによって、受信されたカテゴリ識別情報に対応するアイコンの出力制御を異ならせてよい。
【００７２】
また、表示装置１００が携帯端末２００から受信する情報は、携帯端末２００において発生した通知イベントを識別するイベント識別情報であってもよい。この場合、出力制御部１４０は、情報受信部が受信したイベント識別情報が示すイベントが発生するアプリケーションのアプリ識別情報に対応するアイコンを、情報受信部が受信したイベント識別情報に対応するアイコンとして出力させてよい。また、この場合、特別対応情報格納部１２２は、携帯端末識別情報およびイベント識別情報の組み合わせを特別アイコンに対応付けて格納してよく、標準対応情報格納部１２４は、携帯端末識別情報およびイベント識別情報の組み合わせを標準アイコンに対応付けて格納してよく、出力制御部１４０は、情報受信部が受信したイベント識別情報に対応するアイコンを出力させてよい。出力制御部１４０は、情報受信部がイベント識別情報を受信した場合に、受信されたイベント識別情報に対応するアイコンの出力待機数が予め定められた数より少ないか否かによって、受信されたイベント識別情報に対応するアイコンの出力制御を異ならせてよい。
【００７３】
また、上記実施形態では、通知データの一例としてアイコンを用いる場合を主に説明したが、これに限らない。通知データは、画像、テキスト、および音の少なくともいずれかであってもよい。通知データが画像またはテキストである場合、出力制御部１４０は通知データを表示部１６０に表示させる。通知データが音である場合、出力制御部１４０は通知データを音声出力部１６２に音声出力させる。
【００７４】
また、上記実施形態では、通信機器として、携帯端末２００を例に挙げて説明したが、これに限らず、アプリケーションをインストール可能で、通信機能を有する機器であれば、携帯端末２００以外の機器であってもよい。
【００７５】
以上の説明において、表示装置１００の各部は、ハードウエアにより実現されてもよく、ソフトウエアにより実現されてもよい。また、ハードウエアとソフトウエアとの組み合わせにより実現されてもよい。また、プログラムが実行されることにより、コンピュータが表示装置１００として機能してもよい。プログラムは、コンピュータ読み取り可能な媒体またはネットワークに接続された記憶装置から、表示装置１００の少なくとも一部を構成するコンピュータにインストールされてよい。
【００７６】
コンピュータにインストールされ、コンピュータを本実施形態に係る表示装置１００として機能させるプログラムは、ＣＰＵ等に働きかけて、コンピュータを表示装置１００の各部としてそれぞれ機能させる。これらのプログラムに記述された情報処理は、コンピュータに読込まれることにより、ソフトウエアと表示装置１００のハードウエア資源とが協働した具体的手段として機能する。
【００７７】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、請求の範囲の記載から明らかである。
【００７８】
請求の範囲、明細書、および図面中において示した装置、システム、プログラム、および方法における動作、手順、ステップ、および段階などの各処理の実行順序は、特段「より前に」、「先立って」などと明示しておらず、また、前の処理の出力を後の処理で用いるのでない限り、任意の順序で実現しうることに留意すべきである。請求の範囲、明細書、および図面中の動作フローに関して、便宜上「まず、」、「次に、」などを用いて説明したとしても、この順で実施することが必須であることを意味するものではない。
【符号の説明】
【００７９】
１０  システム、２０  ネットワーク、３０  ストアサーバ、４０  クラウドサーバ、５０  無線基地局、１００  表示装置、１０２  表示制御装置、１１０  アイコン格納部、１１２  第１アイコン格納部、１１４  第２アイコン格納部、１１６  第３アイコン格納部、１２２  特別対応情報格納部、１２４  標準対応情報格納部、１２６  通信接続確立部、１３０  通信部、１３２  携帯端末識別情報受信部、１３４  アプリ識別情報受信部、１３６  アイコン受信部、１４０  出力制御部、１４２  動作データ格納部、１４４  アイコン書換部、１５０  出力要求格納部、１５１  キュー、１５２  キュー、１５３  キュー、１５４  キュー、１５５  キュー、１６０  表示部、１６２  音声出力部、１８０  アイコン、１８２  アイコン、１８４  アイコン、２００  携帯端末、３００  モニタ、３０２  ＭＰＵ、３０４  ＢＬＥユニット、３０６  ＭＰＵ−ＲＡＭ、３０８  ＭＰＵ−ＳＰＩ、３１０  ＦＰＧＡ、３１２  ＦＰＧＡ−ＳＰＩ、３２０  表示ユニット
【図１】
2017085819.tif 000003
【図２】
2017085819.tif 000004
【図３】
2017085819.tif 000005
【図４】
2017085819.tif 000006
【図５】
2017085819.tif 000007
【図６】
2017085819.tif 000008
【図７】
2017085819.tif 000009
【図８】
2017085819.tif 000010
【図９】
2017085819.tif 000011
【図１０】
2017085819.tif 000012
【国際調査報告】
2017085819.tif 000013
2017085819.tif 000014
2017085819.tif 000015